(57)【要約】【課題】  ケーブルの増設作業が容易な分岐配線用接続具の提供。【解決手段】  複数のケーブル挿通開口４ａ・４ｂを有して建物の壁面又は床面に固定されるベース体１と、複数のケーブル挿通開口１３ａ・１３ｂを有してベース体１と着脱可能に嵌合するカバー体２とから成り、該カバー体２とベース体１の内側に上記ベース体１とカバー体２の各ケーブル挿通開口と連通する収容空間を画成して、該収容空間内にケーブルを分岐して配線する分岐配線用接続具において、少なくとも上記ベース体１の一個のケーブル挿通開口４ａの近傍に対の関係にある切り取り可能な仕切壁８を設けて、該仕切壁８の一方を切り取るだけで、カバー体を取り外さなくとも、ケーブルの押込み工法の下で、ケーブルの増設を可能とした。【選択図】  図１
2012257414.tif 000002
【特許請求の範囲】
【請求項１】
複数のケーブル挿通開口を有して建物の壁面又は床面に固定されるベース体と、複数のケーブル挿通開口を有して該ベース体と着脱可能に嵌合するカバー体とから成り、該カバー体とベース体の内側に上記ベース体とカバー体の各ケーブル挿通開口と連通する収容空間を画成して、該収容空間内にケーブルを分岐して配線する分岐配線用接続具において、少なくとも上記ベース体の一個のケーブル挿通開口の近傍に対の関係にある切り取り可能な仕切壁を設けたことを特徴とするケーブルの分岐配線用接続具。
【請求項２】
対の関係にある仕切壁は、センター支柱を介して左右に振り分けられ、該各仕切壁の両側端は対応するベース体の側壁と上記センター支柱に対して結合され、各仕切壁の下端はベース体の下壁に対して非結合又は弱結合されていることを特徴とする請求項１記載のケーブルの分岐配線用接続具。
【請求項３】
対の関係にある仕切壁は、センター支柱を介して左右に振り分けられ、該各仕切壁のベース体の側壁と対向する一方の側端はベース体の側壁に対して非結合で、各仕切壁の上記センター支柱と対向する他方の側端は該センター支柱に対して結合され、各仕切壁の下端はベース体の下壁に対して非結合又は弱結合されていることを特徴とする請求項１記載のケーブルの分岐配線用接続具。
【請求項４】
対の関係にある仕切壁は、左右に連続して振り分けられ、該連続する各仕切壁の左右の側端は対応するベース体の側壁に対して結合され、連続する各仕切壁の下端はベース体の下壁に対して非結合又は弱結合されていることを特徴とする請求項１記載のケーブルの分岐配線用接続具。
【請求項５】
仕切壁の高さはベース体の側壁と等しい高さを有することを特徴とする請求項１乃至請求項４のいずれかに記載のケーブルの分岐配線用接続具。
【請求項６】
仕切壁の高さはカバー体の上壁内面に届く高さを有することを特徴とする請求項１乃至請求項４のいずれかに記載のケーブルの分岐配線用接続具。
【発明の詳細な説明】
【技術分野】
【０００１】
本発明は、例えば、光ケーブルを建物の壁面や床面に敷設する際に、該光ケーブルを保護しながら分岐配線する分岐配線用接続具に関する。
【背景技術】
【０００２】
従来のこの種分岐配線用接続具は、下記の特許文献１に示すように、平面Ｔ字状を呈し且つ断面Ｕ字状を呈して建物の壁面又は床面に固定される合成樹脂製のベース体と、同じく平面Ｔ字状を呈し且つ断面Ｕ字状を呈して該ベース体と着脱可能に嵌合する合成樹脂製のカバー体とから成り、該ベース体とカバー体の対向する各開口を３個のケーブル挿通開口となして、該各ケーブル挿通開口を介して、ベース体とカバー体で画成される収容空間内に光ケーブルを分岐させながら配線できる構成となっている。
【０００３】
そして、光ケーブルの敷設工事では、ベース体を建物の壁面又は床面にビスや両面接着テープ等を介して固定した後、該ベース体の収容空間内に光ケーブルを分岐させて収容する状態を得て、該ベース体にカバー体を嵌合すると、光ケーブルは保護されながら分岐配線される。尚、この場合には、ベース体とカバー体で画成される３個のケーブル挿通開口側には直線状の別の接続具が接続される。
【先行技術文献】
【特許文献】
【０００４】
【特許文献１】特開平１０−９４１３７号公報
【発明の概要】
【発明が解決しようとする課題】
【０００５】
従って、従来の分岐配線用接続具を使用すれば、光ケーブルを保護しながら分岐配線することは可能となるが、その後の経過で、ケーブルの増設が必要となったような場合には、分岐配線用接続具の内部に増設の光ケーブルを収容するために、全てのカバー体を取り外して光ケーブルをベース体側に収容した後、再度カバー体をベース体に嵌合させなければならないので、作業が自ずと大変となる嫌いがあった。
【０００６】
そこで、本発明は、ケーブル挿通開口からケーブルを挿通していくケーブルの押込み工法により、ケーブルの増設の際に、カバー体を取り外すことなく分岐配線を可能とする分岐配線用接続具を提供する。
【課題を解決するための手段】
【０００７】
本発明は、斯かる実情に鑑み開発されたもので、複数のケーブル挿通開口を有して建物の壁面又は床面に固定されるベース体と、複数のケーブル挿通開口を有して該ベース体と着脱可能に嵌合するカバー体とから成り、該カバー体とベース体の内側に上記ベース体とカバー体の各ケーブル挿通開口と連通する収容空間を画成して、該収容空間内にケーブルを分岐して配線する分岐配線用接続具において、少なくとも上記ベース体の一個のケーブル挿通開口の近傍に対の関係にある切り取り可能な仕切壁を設ける。
【０００８】
これを詳述すると、上記対の関係にある仕切壁をセンター支柱を介して左右に振り分け、該各仕切壁の両側端は対応するベース体の側壁と上記センター支柱に対して結合され、各仕切壁の下端はベース体の下壁に対して非結合又は弱結合されている。
【０００９】
又、このセンター支柱を介して左右に振り分けられた各仕切壁のベース体の側壁と対向する一方の側端はベース体の側壁に対して非結合で、各仕切壁の上記センター支柱と対向する他方の側端は該センター支柱に対して結合され、各仕切壁の下端はベース体の下壁に対して非結合又は弱結合されている。
【００１０】
更に、対の関係にある仕切壁を左右に連続して振り分け、該連続する各仕切壁の左右の側端は対応するベース体の側壁に対して結合され、連続する各仕切壁の下端はベース体の下壁に対して非結合又は弱結合される。
【００１１】
上記仕切壁の高さはベース体の側壁と等しい高さとなすか、又はカバー体の上壁内面に届く高さとなす。
【発明の効果】
【００１２】
ケーブルの挿通方向はケーブルを敷設する状況に合わせて決定されるため、本発明にあっては、その状況に従って仕切壁を切り取る箇所を選択できるので、複数種類の分岐配線用接続具を用意する必要がない。更に、ケーブル増設の際には、ケーブルの挿通方向は予め決められているので、従来のように全てのカバー体を外すことなく、ケーブルの押込み工法の下で、分岐配線用接続具の内部に容易に通線することができる。
【００１３】
又仕切壁を切り取る場合には、左右一方の仕切壁の両側端を切り取るだけで、その挿通方向に対しケーブルをスムーズに通線することができ、或いは仕切壁のセンター支柱側の他方の側端を切り取るだけで、その挿通方向に対しケーブルをスムーズに通線することができ、且つ連続する仕切壁の中央部と左右いずれか一方の側端を切り取るだけで、その挿通方向に対しケーブルをスムーズに通線することができる。
【００１４】
本発明にあって、仕切壁の高さがベース体の側壁と等しい場合には、ベース体側に比較的小さなケーブル収容空間が画成でき、仕切壁の高さがカバー体の上壁内面に届く高さの場合に、ベース体とカバー体の間に跨った比較的大きなケーブル収容空間が画成できる。
【図面の簡単な説明】
【００１５】
【図１】本発明の実施例に係る分岐配線用接続具を内側から示す分解斜視図である。
【図２】同分岐配線用接続具のベース体を外側から示す斜視図である。
【図３】図１のＡ−Ａ線断面図である。
【図４】図１のＢ−Ｂ線断面図である。
【図５】一方の仕切壁を切り取って通線した状態を示す斜視図である。
【図６】ベース体にカバー体を嵌合した状態を示す断面図である。
【図７】（Ａ）（Ｂ）は仕切壁の他例を示す断面図である。
【図８】（Ａ）ベース体の別の他例を示す斜視図、（Ｂ）はこれにカバー体を嵌合した状態を示す断面図である。
【発明を実施するための最良の形態】
【００１６】
以下、本発明を図示する好適な実施例に基づいて詳述する。
【００１７】
本実施例に係る分岐配線用接続具は、図１乃至図４に示すように、平面Ｔ字状で断面がＵ字状を呈して建物の壁面又は床面にビスや両面接着テープ等を介して固定されるベース体１と、一回り大きな平面Ｔ字状で断面Ｕ字状を呈して該ベース体１に着脱可能に嵌合するカバー体２とから成り、これら１・２はいずれも合成樹脂で一体に成形されている。
【００１８】
そして、前者のベース体１は、２個の曲線側壁３ａと１個の直線側壁３ｂとを有し、該２個の曲線側壁３ａ間に画成される開口４ａと、直線側壁３ｂと各曲線側壁３ａ間に画成される開口４ｂとを３個のケーブル挿通開口となし、各曲線側壁３ａの外面に後述するカバー体２の嵌合爪１４を係合する突起５を形成すると共に、直線側壁３ｂの外面に後述するカバー体２の嵌合爪１５に係合する突起６を形成し、且つ、上記２個の曲線側壁３ａ間の中央にセンター支柱７を一体に立設して、該センター支柱７の両側と各曲線側壁３ａの内面とに対の関係にある切り取り可能な仕切壁８を左右に振り分けて円弧状に結合する構成となっている。
【００１９】
これに加えて、ベース体１の下壁３ｃに対しては、センター支柱７を除いた部分に円弧状を呈する一対の分離スリット９を形成して、該各分離スリット９上に上記各仕切壁８の下端を非結合状態をもって臨ましめるものとする。従って、センター支柱７と曲線側壁３ａの結合部位をナイフ等で切断すれば、左右に振り分けられた仕切壁８が切り取られ、ここにケーブルの収容空間１０が画成される。尚、図中１１はビスの取付孔である。
【００２０】
又、左右に振り分けられる仕切壁８の高さは、図示するように、ベース体１の側壁３ａ・３ｂの高さと等しくなるように設定する。
【００２１】
又、後者のカバー体２は、同じく、２個の曲線側壁１２ａと１個の直線側壁１２ｂとを有し、該２個の曲線側壁１２ａ間の開口１３ａと、直線側壁１２ｂと各曲線側壁１２ａ間の開口１３ｂとを３個のケーブル挿通開口となし、各曲線側壁１２ａの内面に上記曲線側壁３ａ側の突起５を係合する嵌合爪１４を形成すると共に、直線側壁１２ｂの内面に上記直線側壁３ｂ側の突起６を係合する嵌合爪１５を形成し、且つ、上記円弧状を呈する対の関係にある仕切壁８と対応する上壁１２ｃの内面に円弧状を呈する受壁１６を一体に形成する構成となっている。
【００２２】
従って、ベース体１にカバー体２を上記各突起５・６と各嵌合爪１４・１５を介して嵌合すると、センター支柱７を含め左右に振り分けられた仕切壁８と受壁１６が当接することとなるが、一方の仕切壁８を切り取った場合には、上記受壁１６を残したままその部分に比較的小さな収容空間１０が画成される。
【００２３】
依って、上記ベース体１とカバー体２とから成る分岐配線用接続具を使用して光ケーブル１９を分岐配線する場合には、まず、建物の壁面又は床面の敷設ライン上にベース体１をビス（図示せず）を介して位置決め固定することとなるが、この場合には、ケーブルの挿通方向が予め決められているので、その方向に存する仕切壁８のセンター支柱７と曲線側壁３ａの結合部位をナイフ等で切断する。
【００２４】
すると、これにより、図５に示すように、左右に振り分けられた一方の仕切壁８が切り取られて、ここにケーブルの収容空間１０が画成されるので、この収容空間１０を利用して光ケーブル１９を収容して、後は、このまま、カバー体２を上記突起５・６と嵌合爪１４・１５を介して嵌合すれば、これにより、図６に示すように、光ケーブル１９がベース体１とカバー体２で覆われて分岐配線される。尚、この場合も、従来と同様に、ベース体１とカバー体２の開口４ａ・４ｂ・１３ａ・１３ｂで画成される各ケーブル挿通開口には直線状の別の接続具１７が接続される。
【００２５】
そして、斯かる状態において、光ケーブル１９の増設が必要となった場合には、直線状の接続具１７などが有する開口等から光ケーブル１９を予め決められた方向に押し込んで、該光ケーブル１９の先端部が分岐配線用接続具に至ると、当該光ケーブル１９の先端部は既に切り取られた仕切壁８の収容空間１０内に経てその方向に存するケーブル挿通開口に押し込まれる。尚、決められた方向以外の方向にケーブル１９の先端が押込まれた場合には、そこには、切り取られていない仕切壁８が依然として存在しているので、誤った方向に通線されることは決してない。
【００２６】
従って、本実施例では、従来のように一々カバー体２を外さなくとも、ケーブル１９の押込み工法を採用するだけで、光ケーブル１９を予め決められている方向に対してスムーズに通線して増設することが可能となるので、増設作業が頗る容易となる。しかも、仕切壁８の切り取りは現場において選択するので、切り取り作業も容易となる。
【００２７】
尚、上記実施例にあっては、左右に振り分けられる対の関係にある仕切壁８の下端をベース体１の下壁３ｃには結合せずに、各仕切壁８の両側端をセンター支柱７と曲線側壁３ａ間に結合して、仕切壁８の両側端を切断すれば、いずれか一方の仕切壁８が切り取れるようにしたものであるが、本発明は、これに限定されるものではない。
【００２８】
例えば、図７のＡに示すように、各仕切壁８の曲線側壁３ａ側の側端は同側壁３ａには分離間隙１８を介して結合せず、センター支柱７側のみに対応する側端を結合し、仕切壁８の下端は上記分離スリット９を介した非結合状態とすれば、今度は、センター支柱７側に結合されている結合部位のみを切断するだけで、切り取ることが可能となり、又は、図７のＢに示すように、各仕切壁８をセンター支柱７を介在させずに連続して形成して、該連続する各仕切壁８の側端を対応する各曲線側壁３ａに結合し、連続する各仕切壁８の下端は分離スリット９を介して非結合状態となせば、今度は、連続する仕切壁８の中央部と一方の側端の結合部位を切断するだけで、所望の仕切壁８を切り取れることとなる。
【００２９】
又、上記した結合部位はナイフ等で鋭利に切断できるように結合させたものであるが、特に、この場合には、各仕切壁８の下端側では、手でも簡単に切り取れるように分離スリット９の孔縁に弱結合させても良い。又、この弱結合は、側壁３ａやセンター支柱７に対しても応用できる。
【００３０】
更に、上記実施例では、各仕切壁８の高さをベース体１の側壁３ａ・３ｂと等しい高さとなしたものであるが、これに限定されるものではなく、図８のＡ・Ｂに示すように、仕切壁８の高さをカバー体２の上壁１２ｃの内面に届く高さとなして、ベース体１とカバー体２間をこの高さの高い仕切壁８で仕切るように構成することも可能である。特にこの場合には、比較的大きな収容空間１０が画成できるので、多数の光ケーブル１９の増設には好都合である。
【００３１】
又、実施例では、３個のケーブル挿通開口を有する分岐配線用接続具に適用したものであるが、これに限定されるものではなく、同様な原理の下で、４個のケーブル挿通開口を有する十字状の分岐配線用接続具にも容易に実施できることは言うまでもない。
【符号の説明】
【００３２】
１      ベース体
２      カバー体
３ａ    ベース体の曲線側壁
３ｂ    ベース体の直線側壁
３ｃ    ベース体の下壁
４ａ    ベース体の開口（ケーブル挿通開口）
４ｂ    ベース体の開口（ケーブル挿通開口）
５      突起
６      突起
７      センター支柱
８      仕切壁
９      分離スリット
１０    収容空間
１１    取付孔
１２ａ  カバー体の曲線側壁
１２ｂ  カバー体の直線側壁
１２ｃ  カバー体の上壁
１３ａ  カバー体の開口（ケーブル挿通開口）
１３ｂ  カバー体の開口（ケーブル挿通開口）
１４    嵌合爪
１５    嵌合爪
１６    受壁
１７    直線状の別の接続具
１８    分離間隙
１９    光ケーブル
【図１】
2012257414.tif 000003
【図２】
2012257414.tif 000004
【図３】
2012257414.tif 000005
【図４】
2012257414.tif 000006
【図５】
2012257414.tif 000007
【図６】
2012257414.tif 000008
【図７】
2012257414.tif 000009
【図８】
2012257414.tif 000010
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
複数のケーブル挿通開口を有して建物の壁面又は床面に固定されるベース体と、複数のケーブル挿通開口を有して該ベース体と着脱可能に嵌合するカバー体とから成り、該カバー体とベース体の内側に上記ベース体とカバー体の各ケーブル挿通開口と連通する収容空間を画成して、該収容空間内を通してケーブルを分岐して配線する分岐配線用接続具において、少なくとも上記ベース体の一個のケーブル挿通開口の近傍に切り取り可能な仕切壁を設けると共に、該ベース体の下壁にセンター支柱を一体に立設し、当該仕切壁は、上記一個のケーブル挿通開口に向かって円弧状を呈して、上記センター支柱を介して左右に振り分けられ、該左右に振り分けられた各仕切壁のベース体の側壁と対向する各側端はベース体の側壁に対して非結合で、同各仕切壁の上記センター支柱と対向する各側端は該センター支柱に対して結合され、同各仕切壁の下端はベース体の下壁に対して非結合又は弱結合されていることを特徴とするケーブルの分岐配線用接続具。
【請求項２】
仕切壁の高さはベース体の側壁と等しい高さを有することを特徴とする請求項１記載のケーブルの分岐配線用接続具。
【請求項３】
仕切壁の高さはカバー体の上壁内面に届く高さを有することを特徴とする請求項１記載のケーブルの分岐配線用接続具。
【手続補正２】
【補正対象書類名】明細書
【補正対象項目名】０００７
【補正方法】変更
【補正の内容】
【０００７】
本発明は、斯かる実情に鑑み開発されたもので、複数のケーブル挿通開口を有して建物の壁面又は床面に固定されるベース体と、複数のケーブル挿通開口を有して該ベース体と着脱可能に嵌合するカバー体とから成り、該カバー体とベース体の内側に上記ベース体とカバー体の各ケーブル挿通開口と連通する収容空間を画成して、該収容空間内を通してケーブルを分岐して配線する分岐配線用接続具において、少なくとも上記ベース体の一個のケーブル挿通開口の近傍に切り取り可能な仕切壁を設けると共に、該ベース体の下壁にセンター支柱を一体に立設する。
【手続補正３】
【補正対象書類名】明細書
【補正対象項目名】０００８
【補正方法】変更
【補正の内容】
【０００８】
これを詳述すると、当該仕切壁は、上記一個のケーブル挿通開口に向かって円弧状を呈して、センター支柱を介して左右に振り分けられ、該左右に振り分けられた各仕切壁のベース体の側壁と対向する各側端はベース体の側壁に対して非結合で、同各仕切壁の上記センター支柱と対向する各側端は該センター支柱に対して結合され、同各仕切壁の下端はベース体の下壁に対して非結合又は弱結合されている。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１２
【補正方法】変更
【補正の内容】
【００１２】
ケーブルの挿通方向はケーブルを敷設する状況に合わせて決定されるため、本発明にあっては、その状況に従って仕切壁の切り取る箇所を選択できるので、複数種類の分岐配線用接続具を用意する必要がない。更に、ケーブル増設の際には、ケーブルの挿通方向は予め決められているので、従来のように全てのカバー体を外すことなく、ケーブルの押込み工法の下で、分岐配線用接続具の内部に容易に通線することができる。
【手続補正７】
【補正対象書類名】明細書
【補正対象項目名】００１３
【補正方法】変更
【補正の内容】
【００１３】
又左右に振り分けられた仕切壁を切り取る場合には、切り取り対象となる仕切壁のセンター支柱側の側端結合部位を切り取るだけで、その挿通方向に対しケーブルをスムーズに通線することができる。
【手続補正８】
【補正対象書類名】明細書
【補正対象項目名】００１５
【補正方法】変更
【補正の内容】
【００１５】
【図１】本発明の実施例に係る分岐配線用接続具を内側から示す分解斜視図である。
【図２】同分岐配線用接続具のベース体を外側から示す斜視図である。
【図３】図１のＡ−Ａ線断面図である。
【図４】図１のＢ−Ｂ線断面図である。
【図５】一方の仕切壁を切り取って通線した状態を示す斜視図である。
【図６】ベース体にカバー体を嵌合した状態を示す断面図である。
【図７】（Ａ）はベース体の他例を示す斜視図、（Ｂ）はこれにカバー体を嵌合した状態を示す断面図である。
【手続補正９】
【補正対象書類名】明細書
【補正対象項目名】００１８
【補正方法】変更
【補正の内容】
【００１８】
そして、前者のベース体１は、２個の曲線側壁３ａと１個の直線側壁３ｂとを有し、該２個の曲線側壁３ａ間に画成される開口４ａと、直線側壁３ｂと各曲線側壁３ａ間に画成される開口４ｂとを３個のケーブル挿通開口となし、各曲線側壁３ａの外面に後述するカバー体２の嵌合爪１４を係合する突起５を形成すると共に、直線側壁３ｂの外面に後述するカバー体２の嵌合爪１５に係合する突起６を形成し、且つ、上記２個の曲線側壁３ａ間の中央にセンター支柱７を下壁３ｃと一体に立設して、該センター支柱７の両側と各曲線側壁３ａの内面間に対の関係にある切り取り可能な仕切壁８を左右に振り分けて円弧状に配置する構成となっている。
尚、この左右に振り分けられた各仕切壁８の曲線側壁３ａとセンター支柱７に対する結合は、図３に示すように、上記各仕切壁８の曲線側壁３ａと対向する各側端は同側壁３ａには分離間隙１８を介して結合せず、センター支柱７と対向する各側端のみを該センター支柱７に対して結合する。又、上記円弧状の仕切壁８は、図１に示すように、上記開口４ａに向かって円弧状を呈している。
【手続補正１０】
【補正対象書類名】明細書
【補正対象項目名】００１９
【補正方法】変更
【補正の内容】
【００１９】
これに加えて、ベース体１の下壁３ｃに対しては、センター支柱７を除いた部分に円弧状を呈する一対の分離スリット９を形成して、該各分離スリット９上に上記各仕切壁８の下端を非結合状態をもって位置させるものとする。従って、センター支柱７との結合部位のみをナイフ等で切断すれば、左右に振り分けられたいずれか一方の仕切壁８が切り取られ、ここにケーブルの収容空間１０が画成される。尚、図中１１はビスの取付孔である。
【手続補正１１】
【補正対象書類名】明細書
【補正対象項目名】００２３
【補正方法】変更
【補正の内容】
【００２３】
依って、上記ベース体１とカバー体２とから成る分岐配線用接続具を使用して光ケーブル１９を分岐配線する場合には、まず、建物の壁面又は床面の敷設ライン上にベース体１をビス（図示せず）を介して位置決め固定することとなるが、この場合には、ケーブルの挿通方向が予め決められているので、その方向に存する仕切壁８のセンター支柱７との結合部位をナイフ等で切断する。
【手続補正１２】
【補正対象書類名】明細書
【補正対象項目名】００２７
【補正方法】変更
【補正の内容】
【００２７】
尚、上記実施例にあっては、左右に振り分けられる対の関係にある仕切壁８の下端をベース体１の下壁３ｃには結合せずに、各仕切壁８の側端をセンター支柱７だけに結合して、仕切壁８の側端結合部位を切断すれば、いずれか一方の仕切壁８が切り取れるようにしたものであるが、本発明は、これに限定されるものではない。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
例えば、上記した結合部位はナイフ等で鋭利に切断できるように結合させたものであるが、特に、この場合には、各仕切壁８の下端側では、手でも簡単に切り取れるように分離スリット９の孔縁に弱結合させても良い。又、この弱結合は、センター支柱７に対しても応用できる。
【手続補正１５】
【補正対象書類名】明細書
【補正対象項目名】００３０
【補正方法】変更
【補正の内容】
【００３０】
更に、上記実施例では、各仕切壁８の高さをベース体１の側壁３ａ・３ｂと等しい高さとなしたものであるが、これに限定されるものではなく、図７のＡ・Ｂに示すように、仕切壁８の高さをカバー体２の上壁１２ｃの内面に届く高さとなして、ベース体１とカバー体２間をこの高さの高い仕切壁８で仕切るように構成することも可能である。特にこの場合には、比較的大きな収容空間１０が画成できるので、多数の光ケーブル１９の増設には好都合である。
【手続補正１６】
【補正対象書類名】図面
【補正対象項目名】図１
【補正方法】変更
【補正の内容】
【図１】
2012257414.tif 000011
【手続補正１７】
【補正対象書類名】図面
【補正対象項目名】図３
【補正方法】変更
【補正の内容】
【図３】
2012257414.tif 000012
【手続補正１８】
【補正対象書類名】図面
【補正対象項目名】図５
【補正方法】変更
【補正の内容】
【図５】
2012257414.tif 000013
【手続補正１９】
【補正対象書類名】図面
【補正対象項目名】図７
【補正方法】変更
【補正の内容】
【図７】
2012257414.tif 000014
【手続補正２０】
【補正対象書類名】図面
【補正対象項目名】図８
【補正方法】削除
【補正の内容】